(57)【要約】【課題】台所のコンロの近くに設けるようにした場合でも、コンロの熱や炎によって劣化したり焦げたりすることのない不燃性化粧板を提供すること。【解決手段】無機質骨材及び熱硬化性樹脂を含有する芯材層２の表面に、表面化粧層１を積層するとともに、芯材層２の裏面に裏面化粧層３を積層した不燃性化粧板において、表面化粧層１にステンレス板１１を適用する。【選択図】　図１
2004009718.tif 000002
【特許請求の範囲】
【請求項１】
無機質骨材及び熱硬化性樹脂を含有する芯材層の表面に、表面化粧層を積層するとともに、前記芯材層の裏面に裏面化粧層を積層した不燃性化粧板において、前記表面化粧層にステンレス板を適用したことを特徴とする不燃性化粧板。
【請求項２】
裏面化粧層にステンレス板を適用したことを特徴とする請求項１記載の不燃性化粧板。
【発明の詳細な説明】
【０００１】
【発明の属する技術分野】
本発明は、不燃性化粧板に関し、特に、台所、風呂場、駅舎、体育館等の壁材等の建築用内外装材として好適に使用することができる不燃性（難燃性のものを含み、本明細書において、「不燃性」という。）の化粧板に関するものである。
【０００２】
【従来の技術】
従来、この種の建築用内外装材として使用する化粧板として、水酸化アルミニウム等の無機質骨材を主たる材料とし、これに熱硬化性樹脂を添加してなる基板の表面に、印刷を施した熱硬化性樹脂を含浸させた化粧紙を積層、一体化したものが実用化されている（例えば、特公昭５４−３７０４号公報参照）。
【０００３】
【発明が解決しようとする課題】
ところで、上記化粧板は、基板に、水酸化アルミニウム等の無機質骨材を主たる材料とし、これに熱硬化性樹脂を添加したものを用いるようにしているため、化粧板自体の強度が小さく、特に、不燃化のために基板の無機質骨材の含有率を高くすると、この傾向が一層顕著に現れるとともに、化粧紙と基板間の接着力が低下し、剥離を起こし易いという問題があった。
【０００４】
本件出願人は、この問題に対処するために、熱硬化性樹脂を含浸させたガラス不織布からなる不織布層と、無機質骨材及び熱硬化性樹脂からなる混合樹脂層とを積層してなる芯材シートを複数枚積層してなる芯材層の表面に、メラミン樹脂を含浸させた化粧紙からなる表面化粧層を積層した化粧板を提案した（特開２０００−１３５７５８号公報参照）。
【０００５】
この技術により、上記問題点は解消されるに至ったが、反面、この化粧板では、表面化粧層にメラミン樹脂を含浸させた紙質のものを積層することから、例えば、台所のコンロの近くに設けるようにした場合は、コンロの熱や炎によって劣化したり焦げたりするおそれがあった。
【０００６】
本発明は、上記従来の化粧板が有する問題点に鑑み、台所のコンロの近くに設けるようにした場合でも、コンロの熱や炎によって劣化したり焦げたりすることのない不燃性化粧板を提供することを目的とする。
【０００７】
【課題を解決するための手段】
上記目的を達成するため、本発明の不燃性化粧板は、無機質骨材及び熱硬化性樹脂を含有する芯材層の表面に、表面化粧層を積層するとともに、前記芯材層の裏面に裏面化粧層を積層した不燃性化粧板において、前記表面化粧層にステンレス板を適用したことを特徴とする。
【０００８】
この不燃性化粧板は、無機質骨材及び熱硬化性樹脂を含有する芯材層の表面に、ステンレス板を積層することから、このステンレス板により熱や炎を遮断することができ、これにより、不燃性化粧板を台所のコンロの近くに設けるようにした場合でも、コンロの熱や炎によって化粧板、特にその表面が、劣化したり焦げたりすることを防止することができる。
そして、この不燃性化粧板は、前記芯材層の表面にステンレス板を積層することから、薄いステンレス板を使用して、コンロの近くなどに部分的に配設する場合でも、他の部分の不燃性化粧板との段差をなくすことができる。
【０００９】
この場合において、裏面化粧層にステンレス板を適用することができる。
【００１０】
これにより、炎に対する遮断性を高めるとともに、化粧板の反りをなくすことができる。
【００１１】
【発明の実施の形態】
以下、本発明の不燃性化粧板の実施の形態を図面に基づいて説明する。
【００１２】
図１〜図３に、本発明の不燃性化粧板の一実施例を示す。
この不燃性化粧板Ｐは、ステンレス板１１からなる表面化粧層１と、無機質骨材及び熱硬化性樹脂を含有する芯材層２と、ステンレス板３１からなる裏面化粧層３とを備えている。
【００１３】
化粧板Ｐの表面化粧層１を構成するステンレス板１１は、特に限定されるものではないが、好ましくは、厚さ０．０６〜０．３ｍｍ、さらに好ましくは、０．０８〜１．５ｍｍ程度の薄板からなり、図２（Ａ）に示すように、芯材層２の表面に、例えば、シリコン系、エポキシ系、ポリウレタン系、アクリル系、ポリイミド系、ポリアミド系等の耐熱性の接着シート１２により接着されている。
この場合、ステンレス板１１は、図２（Ｃ）に示すように、ステンレス板１１の裏面に塗布された耐熱性の接着剤１３により芯材層２の表面に接着することも可能である。
【００１４】
化粧板Ｐの裏面化粧層３を構成するステンレス板３１は、特に限定されるものではないが、好ましくは、厚さ０．０６〜０．３ｍｍ、さらに好ましくは、０．０８〜１．５ｍｍの薄板からなり、図２（Ａ）及び図２（Ｃ）に示すように、芯材層２の裏面に、例えば、シリコン系、エポキシ系、ポリウレタン系、アクリル系、ポリイミド系、ポリアミド系等等の耐熱性の接着シート１２や接着剤１３により接着されている。
また、化粧板Ｐの裏面化粧層３は、図２（Ｂ）に示すように、ステンレス板３１の代わりに、クラフト紙などの紙材にメラミン樹脂やフェノール樹脂などの熱硬化性樹脂を含浸させたバッカー紙３２などを積層することも可能である。
【００１５】
一方、化粧板Ｐの芯材層２は、無機質骨材を含有し、かつ熱硬化性樹脂を塗布又は含浸させた複数の芯材シート２０を積層して熱硬化させた層によって構成されている。
芯材シート２０は、ガラス不織布や織布からなり、例えば、無機質骨材として、水酸化アルミニウム、水酸化マグネシウム等の含水無機化合物や炭酸カルシウム、タルク等の充填剤を含有するとともに、メラミン樹脂、フェノール樹脂等の熱硬化性樹脂が含浸又は塗布されている。
そして、より具体的には、この芯材シート２０には、図３（Ａ）に示すように、秤量３０〜１００ｇ／ｍ２程度のガラス不織布に、メラミン樹脂、フェノール樹脂等の熱硬化性樹脂を含浸させた後、この不織布層２２の片面に、水酸化アルミニウム等の無機質骨材及びメラミン樹脂、フェノール樹脂等の熱硬化性樹脂（さらに、必要に応じて他の添加剤）を混合した混合物（本明細書において、「混合樹脂」という。）を塗布して混合樹脂層２１を形成し、２層構造とした芯材シート２Ａを用いることができる。
また、図３（Ｂ）に示すように、ガラス不織布に、メラミン樹脂、フェノール樹脂等の熱硬化性樹脂を含浸させた不織布層２２の両面に、水酸化アルミニウム等の無機質骨材及びメラミン樹脂、フェノール樹脂等の熱硬化性樹脂（さらに、必要に応じて添加剤）を混合した混合樹脂を塗布して混合樹脂層２１を形成し、３層構造とした芯材シート２Ｂを用いることができる。
さらに、図３（Ｃ）に示すように、ガラス不織布に水酸化アルミニウム等の無機質骨材及びメラミン樹脂、フェノール樹脂等の熱硬化性樹脂（さらに、必要に応じて他の添加剤）を混合した混合樹脂を含浸させた不織布層２２の両面に、該混合樹脂を塗布して混合樹脂層２１を形成した芯材シート２Ｃ（この場合、図示の３層構造のほか、２層構造とすることもできる。）を用いることができる。
また、、図３（Ｄ）に示すように、ガラス不織布に水酸化アルミニウム等の無機質骨材及びメラミン樹脂、フェノール樹脂等の熱硬化性樹脂（さらに、必要に応じて他の添加剤）を混合した混合樹脂を含浸させ、１層構造とした芯材シート２Ｄを用いたり、図３（Ｅ）に示すように、水酸化アルミニウム等の無機質骨材及びメラミン樹脂、フェノール樹脂等の熱硬化性樹脂を含浸させたガラス不織布４と、前記熱硬化性樹脂に水酸化アルミニウム等の無機骨材を混合した混合樹脂シート２１とからなる芯材シート２Ｅ等を適宜選択し、必要に応じて、組み合わせて用いることができる。
【００１６】
この場合、不織布層２２には、熱硬化性樹脂が８０〜１５０重量％程度含浸されるようにする。
また、無機質骨材には、含水した水酸化アルミニウム等の無機物の粉末を、さらに、不織布層２２内に浸入、含浸されるようにする場合には、粒径５０μｍ以下のものを用いるのが好ましい。
さらに、この含水水酸化アルミニウム等の無機質骨材と炭酸カルシウム等の充填剤を７０〜９０：３０〜１０の割合で混合したものも好ましく用いることができる。
なお、不織布層２２に水酸化アルミニウム等の無機質骨材を含浸させる場合、無機質骨材の含有率は、層間の界面の接着性を考慮して、１０重量％未満とすることが望ましい。
【００１７】
そして、芯材シート２０全体として、熱硬化性樹脂が１０〜２０重量％含有されるようにする。
熱硬化性樹脂の含有量が、２０重量％より多いと、所期の不燃性の性質が得にくくなり、反対に、１０重量％より少ないと、結合力（接着力）が小さく、成形性が悪くなる。
【００１８】
かくして、本実施例の不燃性化粧板Ｐは、無機質骨材及び熱硬化性樹脂を含有する芯材層２の表面に、ステンレス板１１を積層したことから、このステンレス板１１により熱や炎を遮断することができ、これにより、台所のコンロの近くなどで不燃性化粧板Ｐを設けるようにした場合でも、コンロの熱や炎によって化粧板、特にその表面が、劣化したり焦げたりすることを防止することができる。
そして、この不燃性化粧板Ｐは、前記芯材層２の表面にステンレス１１板を積層することから、薄いステンレス板を使用して、コンロの近くなどに部分的に配設する場合でも、他の部分の不燃性化粧板との段差をなくすことができる。
また、裏面化粧層３にステンレス板３１を積層することにより、炎に対する遮断性を高めるとともに、化粧板Ｐの反りをなくすことができる。
そして、芯材層２として、無機質骨材を含む熱硬化性樹脂が硬化したものを使用しているので、芯材層２自体がへこむことがなく、このため、薄いステンレス板を使用してもステンレス板１１、３１が内側にへこむことがなく、不燃性化粧板の表面に凹凸が生じず、長期間に亘って美麗に保持することができる。
【００１９】
以上、本発明の不燃性化粧板について、その実施例に基づいて説明したが、本発明は上記実施例に記載した構成に限定されるものではなく、その趣旨を逸脱しない範囲において適宜その構成を変更することが可能である。
【００２０】
【発明の効果】
本発明の不燃性化粧板によれば、無機質骨材及び熱硬化性樹脂を含有する芯材層の表面に、ステンレス板を積層することから、このステンレス板により熱や炎を遮断することができ、これにより、不燃性化粧板を台所のコンロの近くに設けるようにした場合でも、コンロの熱や炎によって化粧板、特にその表面が、劣化したり焦げたりすることを防止することができる。
そして、この不燃性化粧板は、前記芯材層の表面にステンレス板を積層することから、薄いステンレス板を使用して、コンロの近くなどに部分的に配設する場合でも、他の部分の不燃性化粧板との段差をなくすことができる。
【００２１】
また、裏面化粧層にステンレス板を適用することにより、炎に対する遮断性を高めるとともに、化粧板の反りをなくすことができる。
【図面の簡単な説明】
【図１】本発明の不燃性化粧板の一実施例を示し、（Ａ）は外観斜視図、（Ｂ）は拡大断面図である。
【図２】同実施例の不燃性化粧板を示す断面分解図である。
【図３】芯材シートを示す断面図である。
【符号の説明】
Ｐ　　化粧板
１　　表面化粧層
１１　ステンレス板
１２　接着シート
１３　接着剤
２　　芯材層
２０　芯材シート
２１　混合樹脂層
２２　ガラス不織布層
３　　裏面化粧層
３１　ステンレス板
３２　バッカー紙
４　　ガラス不織布
【図１】
2004009718.tif 000003
【図２】
2004009718.tif 000004
【図３】
2004009718.tif 000005